(57)【要約】【課題】液体がハウジングの上面を伝って基板側へ浸入することを防ぐことが可能なコネクタおよびコネクタ装置を提供する。【解決手段】ハウジング１２から延出した端子金具１１が基板５０に接続され、前記基板５０を覆うケーシング５１が前記ハウジング１２の上面１２Ｕ側に被せられるコネクタ１０であり、前記ハウジング１２の上面１２Ｕには、前後方向に延びる縦溝２９と、左右方向に延びる横溝３１とが繋がった形態で形成された溜液部２８が設けられているものである。【選択図】図６
2015065140.tif 000002
【特許請求の範囲】
【請求項１】
ハウジングから延出した端子金具が基板に接続され、前記基板を覆うケーシングが前記ハウジングの上面側に被せられるコネクタであり、
前記ハウジングの上面には、前後方向に延びる縦溝と、左右方向に延びる横溝とが繋がった形態で形成された溜液部が設けられているコネクタ。
【請求項２】
前記溜液部は、前記ハウジングの側面に達している請求項１に記載のコネクタ。
【請求項３】
前記ハウジングは、相手側コネクタと嵌合可能なコネクタ嵌合部と、前記相手側コネクタとの嵌合動作を助勢するレバーが収容されるレバー収容部とを有し、
前記コネクタ嵌合部と前記レバー収容部とは隔壁により隔てられ、
前記ハウジングの上面には、前記レバー収容部に連通する開口部が形成され、
前記溜液部は、前記開口部に達している請求項１または請求項２に記載のコネクタ。
【請求項４】
請求項１ないし請求項３のいずれか一項に記載のコネクタと、
前記基板を覆うとともに前記ハウジングの上面側に被せられるケーシングと、を備えたコネクタ装置であり、
前記ケーシングのうち前記ハウジングの上面側を覆う本体板部の縁部は、前記ハウジングの上面のうち前記相手側コネクタとの嵌合方向前端縁よりも前方に突出するとともに、前記本体板部の縁部には、前記本体板部と前記ハウジングの上面との間の隙間の前方を塞ぐように突出する遮水突部が設けられているコネクタ装置。
【請求項５】
前記コネクタと嵌合可能な相手側コネクタを備え、
前記相手側コネクタには、前記コネクタとの正規の嵌合状態において前記遮水突部が収容される収容凹部が設けられている請求項４に記載のコネクタ装置。
【発明の詳細な説明】
【技術分野】
【０００１】
本発明は、コネクタおよびコネクタ装置に関する。
【背景技術】
【０００２】
従来より、基板に接続されるコネクタ、および同コネクタと基板を覆うケーシングとを備えたコネクタ装置が知られている。例えば下記特許文献１に記載のコネクタは、ハウジングの後面から延出した端子金具が基板に接続されるものとされている。基板は、ケーシングにより覆われて、異物との接触が防がれる。コネクタは、基板の縁部に固定され、ケーシングは、基板の上面側の全体とハウジングの上面のうち基板側の部分とを覆うものとされている。
【先行技術文献】
【特許文献】
【０００３】
【特許文献１】特開２０１３−１４３２８６号公報
【発明の概要】
【発明が解決しようとする課題】
【０００４】
ところで、上記のような構成のコネクタおよびコネクタ装置においては、一般に、ケーシングとハウジングとの間の隙間から水等の液体が浸入することを防ぐため、防滴シートが被せられる。しかしながら、より防水性を高めるべく、万一この隙間に液体が入り込んだとしても、その液体がハウジングの上面を伝って基板側へ入り込んでしまうことを防ぎたいという要望があった。
【０００５】
本発明は上記のような事情に基づいて完成されたものであって、液体がハウジングの上面を伝って基板側へ浸入することを防ぐことが可能なコネクタおよびコネクタ装置を提供することを目的とする。
【課題を解決するための手段】
【０００６】
本発明のコネクタは、ハウジングから延出した端子金具が基板に接続され、前記基板を覆うケーシングが前記ハウジングの上面側に被せられるコネクタであり、前記ハウジングの上面には、前後方向に延びる縦溝と、左右方向に延びる横溝とが繋がった形態で形成された溜液部が設けられているものである。
【０００７】
このような構成によれば、溜液部における溝全体の長さは、例えば前後方向または左右方向に延びる溝が繋がることなく別々に設けられている場合に比して大きいので、その分多くの液体を溜めることができ、もって液体がハウジングの上面を伝って基板側へ浸入することを防ぐことができる。
【０００８】
また、前記溜液部は、前記ハウジングの側面に達しているものとしてもよい。このような構成によれば、溜液部に溜まった液体は、ハウジングの側面に至ってハウジングの外側に排水されるから、より確実に、液体がハウジングの上面を伝って基板側へ浸入することを防ぐことができる。
【０００９】
また、前記ハウジングは、相手側コネクタと嵌合可能なコネクタ嵌合部と、前記相手側コネクタとの嵌合動作を助勢するレバーが収容されるレバー収容部とを有し、前記コネクタ嵌合部と前記レバー収容部とは隔壁により隔てられ、前記ハウジングの上面には、前記レバー収容部に連通する開口部が形成され、前記溜液部は、前記開口部に達しているものとしてもよい。
【００１０】
このような構成によれば、溜液部に溜まった液体は開口部に至り、コネクタ嵌合部に浸入することなくレバー収容部に排水されるから、より確実に、液体がハウジングの上面を伝って基板側へ浸入することを防ぐことができる。
【００１１】
本発明のコネクタ装置は、前記に記載のコネクタと、前記基板を覆うとともに前記ハウジングの上面側に被せられるケーシングと、を備えたコネクタ装置であり、前記ケーシングのうち前記ハウジングの上面側を覆う本体板部の縁部は、前記ハウジングの上面のうち前記相手側コネクタとの嵌合方向前端縁よりも前方に突出するとともに、前記本体板部の縁部には、前記本体板部と前記ハウジングの上面との間の隙間の前方を塞ぐように突出する遮水突部が設けられているものである。
【００１２】
このような構成によれば、ハウジングの上面の全体がケーシングの本体板部により覆われるから、ハウジングの上面に水が付着し難く、また本体板部の縁部に設けられた遮水突部により、ハウジングとケーシングとの間の隙間に液体が浸入し難くなるので、液体がハウジングの上面を伝って基板側へ浸入することをより確実に防ぐことができる。
【００１３】
また、前記コネクタと嵌合可能な相手側コネクタを備え、前記相手側コネクタには、前記コネクタとの正規の嵌合状態において前記遮水突部が収容される収容凹部が設けられているものとしてもよい。
【発明の効果】
【００１４】
本発明によれば、液体がハウジングの上面を伝って基板側へ浸入することを防ぐことが可能なコネクタおよびコネクタ装置を提供することができる。
【図面の簡単な説明】
【００１５】
【図１】実施形態１にかかる雄コネクタであって、基板に接続されるとともにケーシングが被せられた状態を表す断面図
【図２】雌コネクタを表す斜視図
【図３】雄コネクタと雌コネクタとの正規の嵌合状態を表す一部拡大断面図
【図４】雄コネクタを表す斜視図
【図５】雄コネクタを表す正面図
【図６】雄コネクタを表す平面図
【図７】雄コネクタを表す側面図
【図８】溜液部を表す一部拡大斜視図
【図９】雄コネクタを表す断面図であって、図６のＡ−Ａ位置における断面に相当する断面図
【図１０】雄コネクタを表す断面図であって、図６のＢ−Ｂ位置における断面に相当する断面図
【図１１】雄コネクタを表す断面図であって、図６のＣ−Ｃ位置における断面に相当する断面図
【図１２】基板に接続されるとともにケーシングが被せられた状態における雄コネクタの溜液部および上面排水溝を表す一部拡大断面図
【図１３】基板に接続されるとともにケーシングが被せられた状態における雄ハウジングの上面排水溝および側面排水溝を表す一部拡大断面図
【図１４】実施形態２にかかるコネクタ装置であって、雌コネクタが嵌合される前の状態を表す斜視図
【図１５】雌コネクタが嵌合される前のコネクタ装置を表す側面図
【図１６】雌コネクタが嵌合される前のコネクタ装置を表す一部拡大断面図
【図１７】雌コネクタが嵌合された後のコネクタ装置を表す一部拡大断面図
【発明を実施するための形態】
【００１６】
＜実施形態１＞
以下、本発明のコネクタを具体化した実施形態１について、図１〜図１３を参照しつつ詳細に説明する。
本実施形態１におけるコネクタは、エアバック回路に接続されるエアバック用コネクタであって、雌型のコネクタ（相手側コネクタであって、以下、雌コネクタ４０と称する）と嵌合可能な雄型のコネクタ（以下、雄コネクタ１０と称する）である。雄コネクタ１０と雌コネクタ４０とは、雌コネクタ４０に備えられたレバー４３を回動操作することにより、その嵌合動作および離脱動作が助勢されるレバー式のコネクタである。以下、各構成部材において、それぞれ相手側との嵌合面側を前方、その反対側を後方とし、図１の上側を上方、下側を下方として説明する。また、雄コネクタ１０を正面から見たときの右側（図５の右側）を右方、左側（図５の左側）を左方として説明する。
【００１７】
雌コネクタ４０は、図２および図３に示すように、雌型の端子金具（以下、雌端子金具４１と称する）を保持する雌ハウジング４２に、レバー４３を組み付けたものである。雌ハウジング４２は合成樹脂製であって、略方形のブロック状をなし、その内部に、雌端子金具４１が収容されている。
【００１８】
雌ハウジング４２の外周面には、略方形の角形をなすシールリング４４が嵌着され、雌コネクタ４０と雄コネクタ１０との正規の嵌合状態では、シールリング４４が雌ハウジング４２の外周面と、後述するコネクタ嵌合部１４の内周面との間で挟持され、コネクタ嵌合部１４の内部をシール状態に保持する（図３参照）。なお、シールリング４４の外側には、コネクタ嵌合部１４に外嵌するフード部４５が、シールリング４４を覆うようにして設けられている。
【００１９】
雌ハウジング４２には、雄コネクタ１０との嵌合動作を助勢するレバー４３が、回動可能に装着されている。レバー４３は、カム溝４７が形成されたカム板４６を一対と、これらカム板４６を連結する操作部（図示せず）とを備えた略門形をなしている。
【００２０】
レバー４３の初期位置では、カム溝４７の入口が前方に向くようになっており、両コネクタ１０，４０を浅く嵌合させると、カム溝４７の入口から後述するカムピン１８が導入される。そして、レバー４３を初期位置から嵌合位置に向けて回動させると、カムピン１８がカム溝４７に沿って移動し、これらの係合に基づくカム作用によって両コネクタ１０，４０が互いに引き寄せられる。そして、レバー４３が嵌合位置に至ると、カムピン１８がカム溝４７の奥端に到達し、両コネクタ１０，４０が正規に嵌合した状態となる。
【００２１】
カム板４６には、カム板４６の板厚方向に弾性撓み可能に形成されたロックアーム４９が設けられ、ロックアーム４９の長さ方向の中央部には、ロック突起４９Ｐが形成されている。ロック突起４９Ｐは、後述する雄コネクタ１０のロック孔２６に嵌合し、両コネクタ１０，４０を正規の嵌合状態にロックする。
【００２２】
雄コネクタ１０は、複数の雄型の端子金具（以下、雄端子金具１１と称する）と、雄端子金具１１を保持する雄ハウジング１２とを備えて構成されている。雄コネクタ１０は、図１に示すように、雄ハウジング１２から延出した雄端子金具１１が、基板５０に接続される基板用コネクタであり、雄ハウジング１２の上面１２Ｕ側には、基板５０を覆うケーシング５１が被せられる。
【００２３】
雄ハウジング１２は合成樹脂材料よりなり、雌コネクタ４０が個別に嵌合可能なコネクタ嵌合部１４を複数（本実施形態では３つ）備えている。各コネクタ嵌合部１４は前方に開口する形態をなし、その内部に、雌コネクタ４０が緊密に嵌合される。複数のコネクタ嵌合部１４は左右方向に並んだ形態で設けられ、雄ハウジング１２は、全体として左右方向に長い形状をなしている。３つのコネクタ嵌合部１４のうち左右方向の中央に位置するコネクタ嵌合部１４は、両端に位置するコネクタ嵌合部１４に比して、幅寸法（左右方向の寸法）が大きくされている（図５参照）。
【００２４】
雄端子金具１１は、導電性金属からなる角線材をＬ字状に折り曲げたものであり、各コネクタ嵌合部１４の奥壁に形成された端子挿入孔１５に圧入されて保持されている（図１２参照）。端子挿入孔１５に圧入された雄端子金具１１の一端側は、図１に示すように、コネクタ嵌合部１４の奥壁から前方へ突出し、対応する雌端子金具４１と電気的に接続可能となる。また、雄端子金具１１の他端側は、雄ハウジング１２の後面から後方に延出して下方に直角に延び、基板５０に形成された図示しないスルーホールに挿入されて、半田付け等により図示しない導電路に接続される。
【００２５】
雄ハウジング１２は、両コネクタ１０，４０の嵌合時にレバー４３が収容されるレバー収容部１６を備えている。レバー収容部１６は、コネクタ嵌合部１４と同数が設けられ、それぞれコネクタ嵌合部１４の上側に設けられている（図５参照）。レバー収容部１６とコネクタ嵌合部１４とは、図９に示すように、隔壁１７により隔てられ、レバー収容部１６は、前方に開口する形態をなしている。なお、雄ハウジング１２の側面１２Ｓには、図５に示すように、コネクタ嵌合部１４の側面とレバー収容部１６の側面との境に段差（以下、側面段差１３と称する）が形成され、レバー収容部１６の側面がコネクタ嵌合部１４の側面よりも若干外側に位置している。
【００２６】
また、雄ハウジング１２の両側面１２Ｓには、図７に示すように、側面排水溝１９が設けられている。側面排水溝１９は、後述する後横溝３１Ｈと同等の幅寸法および同等の深さ寸法を有する溝であり、後横溝３１Ｈと連続して形成されている。側面排水溝１９は、雄ハウジング１２の上面１２Ｕから下方に向かってまっすぐに延び、その下端は側面段差１３に至っている。
【００２７】
雄ハウジング１２には、円柱状のカムピン１８が一対設けられている。一対のカムピン１８は、各レバー収容部１６の下面と雄ハウジング１２の下面とに設けられている。レバー収容部１６のカムピン１８は、レバー収容部１６の下面から上方に突出して形成され、雄ハウジング１２の下面のカムピン１８は、レバー収容部１６のカムピン１８と同軸となる位置において雄ハウジング１２の下面から下方に突出して形成されている（図５参照）。カムピン１８は、各レバー収容部１６において左右方向の中央よりも左側寄りの位置に設けられている。
【００２８】
また、雄ハウジング１２の下面には、レバー４３のカム板４６の周縁部が嵌合可能なカム板嵌合部２１が設けられている。このカム板嵌合部２１にカム板４６の周縁部が嵌合することで、カム板４６が雄ハウジング１２から下方に離間するようにレバー４３が開き変形することを回避することができる。
【００２９】
雄ハウジング１２の後端寄りの位置には、図４に示すように、リブ２２が設けられている。リブ２２は、雄ハウジング１２の両側面１２Ｓおよび上面１２Ｕにわたり設けられている。リブ２２のうち雄ハウジング１２の側面１２Ｓに設けられた部分は、ケーシング５１に形成された図示しない溝に圧入される圧入部２２Ｐとされている。また、リブ２２のうち雄ハウジング１２の上面１２Ｕに設けられた部分は、それよりも後方への水の浸入を阻止する防水部２２Ｗとされている。防水部２２Ｗは、雄ハウジング１２の全幅にわたり設けられている。防水部２２Ｗの高さ寸法は、図３に示すように、レバー収容部１６の高さ寸法と同等とされている。
【００３０】
防水部２２Ｗとレバー収容部１６との間には、図７に示すように、下方に凹む形態の溝部２３が形成されている。溝部２３は、レバー収容部１６の高さ寸法と同等の深さ寸法を有して、雄ハウジング１２の両側に開放された形態とされている。なお、この溝部２３には、図１２に示すように、ケーシング５１に設けられた壁部５２が嵌合するものとされている。
【００３１】
溝部２３の底面には、図９に示すように、上面排水溝２４が前後に一対形成されている。一対の上面排水溝２４のうち前側の上面排水溝２４はレバー収容部１６の後壁面１６Ｌに沿い、後側の上面排水溝２４は防水部２２Ｗの前面に沿って、雄ハウジング１２の全幅に延びている。上面排水溝２４の両端は、図１１に示すように、雄ハウジング１２の両側面１２Ｓに達し、上面排水溝２４の底面は、雄ハウジング１２の左右方向の中央から、雄ハウジング１２の両側面１２Ｓに向かって下がるテーパ形状とされている。
【００３２】
雄ハウジング１２の上面１２Ｕには、ケーシング５１の外周縁に沿って下方に膨出する膨出部５３に対応して、窪み部２５が設けられている（図３参照）。窪み部２５は、雄ハウジング１２の上面１２Ｕの前端縁に沿って、雄ハウジング１２の全幅にわたり形成されている（図４参照）。
【００３３】
雄ハウジング１２の上面１２Ｕには、ロック孔２６が設けられている。ロック孔２６は、コネクタ嵌合部１４と同数が設けられている。ロック孔２６は、方形状をなして雄ハウジング１２の上面１２Ｕからレバー収容部１６に貫通する孔である。各ロック孔２６には、レバー４３に設けられたロック突起４９Ｐが嵌合して係止するものとされている。ロック孔２６は、各レバー収容部１６に対して左右方向の中央よりも若干右側寄りの位置に設けられている。
【００３４】
そして、雄ハウジング１２の上面１２Ｕには、図６に示すように、複数の開口部２７が形成されている。開口部２７は、カムピン１８の後面を成形するための型抜き孔である。開口部２７は、図１０に示すように、各カムピン１８の中心から、レバー収容部１６の後壁面１６Ｌに近い位置に至る、前後方向に若干長い矩形状をなして、雄ハウジング１２の上面１２Ｕからレバー収容部１６に貫通している。開口部２７は、レバー収容部１６に設けられたカムピン１８と同数の３つが形成されている。なお、以下において、３つの開口部２７のうちハウジングの右端側に位置する開口部２７を一端側開口部２７Ｅ、左端側に位置する開口部２７を他端側開口部２７Ｓ、一端側開口部２７Ｅと他端側開口部２７Ｓとの間に位置する開口部２７を中間開口部２７Ｍと称する（図６参照）。
【００３５】
また、雄ハウジング１２の上面１２Ｕには、図６に示すように、前後方向に延びる縦溝２９と、左右方向に延びる横溝３１とが繋がった形態で形成された溜液部２８が複数（本実施形態では４個）設けられている。複数の溜液部２８は、雄ハウジング１２の上面１２Ｕに形成された開口部２７を境にして配されている。各溜液部２８は、少なくとも一の縦溝２９と、一の横溝３１とが繋がった形態で形成されている。各溜液部２８はそれぞれ雄ハウジング１２の側面１２Ｓまたは開口部２７に達している。溜液部２８を構成する縦溝２９および横溝３１の深さ寸法は、全体にわたり略一定とされている。
【００３６】
溜液部２８を構成する横溝３１は、雄ハウジング１２の後端寄りに位置する後横溝３１Ｈと、前後方向の中央に位置する中央横溝３１Ｍとを有している。後横溝３１Ｈは、各溜液部２８において雄ハウジング１２の側面１２Ｓまたは開口部２７に達するものであり、中央横溝３１Ｍは、縦溝２９間を左右方向に繋ぐものである。各溜液部２８の後横溝３１Ｈ同士、および中央横溝３１Ｍ同士は、それぞれ雄ハウジング１２の上面１２Ｕにおける前後方向の位置が揃えられている。
【００３７】
後横溝３１Ｈは、図１０に示すように、レバー収容部１６の後壁面１６Ｌから所定寸法だけ前側に位置し、後壁面１６Ｌと略平行をなして延びている。中央横溝３１Ｍは、図６に示すように、後述する長縦溝２９Ｌの前後方向の中央部と短縦溝２９Ｓの前端部とを繋いで、後横溝３１Ｈと略平行をなして延びている。なお、横溝３１の幅寸法は、すべてにおいて同等で略一定とされている。
【００３８】
溜液部２８を構成する縦溝２９は、図６に示すように、長さ寸法が大きい長縦溝２９Ｌと、長さ寸法が小さい短縦溝２９Ｓとを備えている。長縦溝２９Ｌは、窪み部２５から所定の間隔だけ後側に離れた位置から後横溝３１Ｈに至るまで直線状に延びている。長縦溝２９Ｌの前端は、ロック孔２６の前縁よりも後側であって中央よりも前側に位置している。
【００３９】
短縦溝２９Ｓは、各ロック孔２６の後側に一対ずつ設けられ、その長さ寸法は、長縦溝２９Ｌの長さ寸法の略半分とされている。一対の短縦溝２９Ｓの左右方向の間隔は、すべての溜液部２８において同等とされている。
【００４０】
そして、４個の溜液部２８のうち一端側開口部２７Ｅの右側に形成された溜液部２８（以下、第１溜液部２８Ｆと称する）は、長縦溝２９Ｌと短縦溝２９Ｓとを２本ずつ備え、２本の長縦溝２９Ｌは右側に、２本の短縦溝２９Ｓは左側に配されている。２本の長縦溝２９Ｌ同士、および２本の短縦溝２９Ｓ同士は、それぞれが後横溝３１Ｈによって繋がり、長縦溝２９Ｌと短縦溝２９Ｓとは中央横溝３１Ｍによって繋がっている。２本の長縦溝２９Ｌを繋ぐ後横溝３１Ｈの一端は雄ハウジング１２の側面１２Ｓに達し、２本の短縦溝２９Ｓを繋ぐ後横溝３１Ｈの一端は一端側開口部２７Ｅに達している。
【００４１】
４個の溜液部２８のうち他端側開口部２７Ｓの左側に形成された溜液部２８（以下、第２溜液部２８Ｓと称する）は、長縦溝２９Ｌと後横溝３１Ｈとを１本ずつ備え、後横溝３１Ｈの両端は、他端側開口部２７Ｓと雄ハウジング１２の側面１２Ｓとに達している。
【００４２】
そして、第１溜液部２８Ｆと第２溜液部２８Ｓとの間に形成された溜液部２８のうち中間開口部２７Ｍの右側に形成された溜液部２８（以下、第３溜液部２８Ｔと称する）、および中間開口部２７Ｍの左側に形成された溜液部２８（以下、第４溜液部２８Ｇと称する）はほぼ同様の形態をなし、それぞれ３本の長縦溝２９Ｌと２本の短縦溝２９Ｓとを備え、３本の長縦溝２９Ｌは右側に、２本の短縦溝２９Ｓは左側に配されている。３本の長縦溝２９Ｌ同士および２本の短縦溝２９Ｓ同士は、それぞれが後横溝３１Ｈによって繋がり、長縦溝２９Ｌと短縦溝２９Ｓとは中央横溝３１Ｍによって繋がっている。
【００４３】
第３溜液部２８Ｔにおいては、３本の長縦溝２９Ｌを繋ぐ後横溝３１Ｈの一端は一端側開口部２７Ｅに達し、２本の短縦溝２９Ｓを繋ぐ後横溝３１Ｈの一端は中間開口部２７Ｍに達している。第４溜液部２８Ｇにおいては、３本の長縦溝２９Ｌを繋ぐ後横溝３１Ｈの一端は中間開口部２７Ｍに達し、２本の短縦溝２９Ｓを繋ぐ後横溝３１Ｈの一端は他端側開口部２７Ｓに達している。
【００４４】
第３溜液部２８Ｔおよび第４溜液部２８Ｇのうち中間開口部２７Ｍの左右に配される長縦溝２９Ｌおよび短縦溝２９Ｓは、他の長縦溝２９Ｌおよび短縦溝２９Ｓよりも幅寸法が若干大きい大幅長縦溝３２および大幅短縦溝３３とされている。
【００４５】
次に、上記のように構成された実施形態１の作用および効果について説明する。
上記の雄コネクタ１０において、万一ケーシング５１と雄ハウジング１２との間の隙間（膨出部５３と窪み部２５との間の隙間）に液体が入り込んで雄ハウジング１２の上面１２Ｕに付着した場合には、液体は溜液部２８に落ち込み、溜液部２８を構成する縦溝２９および横溝３１の壁面を伝って溜液部２８内に広がる。このとき、溜液部２８は、縦溝２９と横溝３１とが繋がった形態の迷路構造とされているから、溜液部２８を構成する溝全体の長さ寸法は、例えば前後方向または左右方向に延びる溝が繋がることなく別々に設けられている場合に比して大きいので、溜液部２８は、その分多くの液体を溜めることができる。
【００４６】
溜液部２８に溜まった液体は、やがて雄ハウジング１２の側面１２Ｓまたは開口部２７に至って雄ハウジング１２の外側に排出される。雄ハウジング１２の側面１２Ｓに至った液体は、雄ハウジング１２の側面１２Ｓに形成された側面排水溝１９を伝って排出され、開口部２７に至った液体は、レバー収容部１６に排出される。ここで、レバー収容部１６とコネクタ嵌合部１４とは隔壁１７により隔てられているから、レバー収容部１６に排出された液体は、コネクタ嵌合部１４の内部に至ることなく、雄ハウジング１２の外側に排出される。こうして、溜液部２８に溜まった液体は、雄ハウジング１２の側面１２Ｓのみならず雄ハウジング１２の中間部分からも排出される。
【００４７】
したがって、万一ケーシング５１と雄ハウジング１２との間の隙間から液体が入り込んだとしても、その液体は溜液部２８に溜まり、やがて雄ハウジング１２の外部に効率良く排出されるから、その液体が基板５０側へ浸入することを確実に防ぐことができる。
【００４８】
以上説明したように本実施形態１によれば、雄ハウジング１２の上面１２Ｕには、前後方向に延びる縦溝２９と、左右方向に延びる横溝３１とが繋がった形態で形成された溜液部２８が設けられている。これにより、溜液部２８は、例えば前後方向または左右方向に延びる溝が繋がることなく別々に設けられている場合に比して溝の長さが大きいので、その分多くの液体を溜めることができ、もって液体が雄ハウジング１２の上面１２Ｕを伝って基板５０側へ浸入することを防ぐことができる。
【００４９】
また、溜液部２８は、雄ハウジング１２の側面１２Ｓに達している。これにより、溜液部２８に溜まった液体は、雄ハウジング１２の側面１２Ｓに至って雄ハウジング１２の外側に排出されるから、より確実に、液体が雄ハウジング１２の上面１２Ｕを伝って基板５０側へ浸入することを防ぐことができる。
【００５０】
さらに、雄ハウジング１２は、雌コネクタ４０と嵌合可能なコネクタ嵌合部１４と、雌コネクタ４０との嵌合動作を助勢するレバー４３が収容されるレバー収容部１６とを有し、コネクタ嵌合部１４とレバー収容部１６とは隔壁１７により隔てられ、雄ハウジング１２の上面１２Ｕには、レバー収容部１６に連通する開口部２７が形成され、溜液部２８は、開口部２７に達している。これにより、溜液部２８に溜まった液体は開口部２７に至り、コネクタ嵌合部１４に浸入することなくレバー収容部１６に排水されるから、より確実に、液体が雄ハウジング１２の上面１２Ｕを伝って基板５０側へ浸入することを防ぐことができる。
【００５１】
＜実施形態２＞
次に、本発明のコネクタ装置を具体化した実施形態２について、図１４〜図１７を参照しつつ詳細に説明する。
本実施形態２のコネクタ装置６０は、ケーシング６１のうち雄ハウジング１２の上面１２Ｕを覆う本体板部６２の縁部６２Ｅを、雄ハウジング１２の上面１２Ｕのうち雌コネクタ６５との嵌合方向前端縁１２Ｅよりも前方に突出させるとともに、本体板部６２の縁部６２Ｅに、ケーシング６１と雄ハウジング１２の上面１２Ｕとの間の隙間の前方を塞ぐように突出する遮水突部６４を設けた点で、実施形態１とは相違する。なお、実施形態１と同様の構成には同一符号を付して重複する説明を省略する。
【００５２】
本実施形態２のコネクタ装置６０は、実施形態１に記載した雄コネクタ１０と、全体として実施形態１に記載したケーシング５１と同様の構成を有するケーシング６１と、全体として実施形態１に記載した雌コネクタ４０と同様の構成を有する雌コネクタ６５とを備えている。
【００５３】
ケーシング６１は、基板５０および雄ハウジング１２の上面１２Ｕを覆う本体板部６２と、基板５０の周囲および雄ハウジング１２の側面１２Ｓを取り囲む側板部６３とを有し、全体として四角い箱形状をなしている。
【００５４】
本体板部６２の縁部６２Ｅは、図１６に示すように、雄ハウジング１２の上面１２Ｕの前端縁（窪み部２５の前端縁）１２Ｅ、および雄ハウジング１２の前端面（雌コネクタ６５との嵌合面）１２Ｍよりも前方に突出している。また、本体板部６２の縁部６２Ｅは、側板部６３のうち雄ハウジング１２の側面１２Ｓを覆う部分の前端縁６３Ｅよりも前方に突出している（図１５参照）。
【００５５】
本体板部６２の縁部６２Ｅには、図１６に示すように、ケーシング６１と雄ハウジング１２の上面１２Ｕとの間の隙間の前方を塞ぐように突出する遮水突部６４が設けられている。遮水突部６４は、雄ハウジング１２の幅方向の全体にわたって設けられた壁状をなしている。遮水突部６４は、本体板部６２の板面に対して略垂直をなして垂下している。遮水突部６４の下端は、ケーシング６１と雄ハウジング１２の上面１２Ｕとの間の隙間よりも下方に位置している。なお、遮水突部６４の下端における前端縁部は、丸みが付けられた丸み縁部６４Ｍとされ、後端縁部は、後方に向かって斜め上方に上る傾斜をなす傾斜縁部６４Ｋとされている。
【００５６】
雌コネクタ６５には、図１７に示すように、雄コネクタ１０との正規の嵌合状態において遮水突部６４が収容される収容凹部６６が設けられている。収容凹部６６は、雌コネクタ６５の上面に設けられ、詳しくは、収容凹部６６は、レバー４３のカム板４６に設けられたロックアーム４９のうちロック突起４９Ｐの後側の部分に設けられている。収容凹部６６は、遮水突部６４の下端が雌コネクタ６５に突き当たらないような深さ寸法および前後方向の寸法を備えている。
【００５７】
正規嵌合状態のコネクタ装置６０において、雄コネクタ１０の前方から雄ハウジング１２の上面１２Ｕとケーシング６１との間の隙間に向かって液体が飛んできた場合には、その液体は遮水突部６４の前面に突き当たって上下方向に跳ね返される。また、正規嵌合状態のコネクタ装置６０において、上方から液体が落下してきた場合には、その液体はケーシング６１の上面に落ち、やがて本体板部６２の前端に至ったとしても、遮水突部６４の前面を伝って下方に落ちる。したがって、雄ハウジング１２の上面１２Ｕとケーシング６１との間の隙間に液体が入り込むことを確実に防ぐことができる。
【００５８】
以上のように本実施形態２においては、実施形態１に記載した雄コネクタ１０と、基板５０を覆うとともに雄ハウジング１２の上面１２Ｕ側に被せられるケーシング６１と、雄コネクタ１０と嵌合可能な雌コネクタ６５とを備え、ケーシング６１のうち雄ハウジング１２の上面１２Ｕ側を覆う本体板部６２の縁部６２Ｅは、雄ハウジング１２の上面１２Ｕのうち雌コネクタ６５との嵌合方向前端縁１２Ｅよりも前方に突出し、本体板部６２の縁部６２Ｅには、ケーシング６１と雄ハウジング１２の上面１２Ｕとの間の隙間の前方を塞ぐように突出する遮水突部６４が設けられ、また、雌コネクタ６５には、雄コネクタ１０との正規の嵌合状態において遮水突部６４が収容される収容凹部６６が設けられている。これにより、雄ハウジング１２の上面１２Ｕの全体がケーシング６１の本体板部６２により覆われるから、雄ハウジング１２の上面１２Ｕに水が付着し難く、また本体板部６２の縁部６２Ｅに設けられた遮水突部６４により、雄ハウジング１２の上面１２Ｕとケーシング６１との間の隙間に液体が浸入し難くなるので、液体が雄ハウジング１２の上面１２Ｕを伝って基板５０側へ浸入することをより確実に防ぐことができる。
【００５９】
＜他の実施形態＞
本発明は上記記述及び図面によって説明した実施形態１，２に限定されるものではなく、例えば次のような実施形態も本発明の技術的範囲に含まれる。
（１）上記実施形態１では、雄ハウジング１２の上面１２Ｕに複数の溜液部２８が設けられているが、これに限らず、雄ハウジングの上面に一の溜液部のみを設けてもよい。
（２）上記実施形態１では、雄ハウジング１２の上面１２Ｕに開口部２７が設けられ、溜液部２８は、雄ハウジング１２の側面１２Ｓまたは開口部２７に達するものとされているが、これに限らず、例えば、雄ハウジングの上面に開口部を設ける設けないを問わず、溜液部は、雄ハウジングの側面のみに達するものとしてもよい。
（３）上記実施形態１では、雄ハウジング１２の上面１２Ｕに開口部２７が設けられ、溜液部２８は、雄ハウジング１２の側面１２Ｓまたは開口部２７に達するものとされているが、これに限らず、例えば溜液部は、開口部のみに達するものとしてもよい。
【００６０】
（４）上記実施形態１では、溜液部２８の具体的な形態の一例を示したが、溜液部の形態はこれに限らず、前後方向に延びる縦溝と、左右方向に延びる横溝とが繋がった迷路構造をなすものであれば、どのような形態としてもよい。
（５）上記実施形態１では、縦溝２９は、長さ寸法の異なる長縦溝２９Ｌと短縦溝２９Ｓとを有しているが、これに加えて、さらに長さ寸法の異なる縦溝を有するものとしても良く、また、すべての縦溝の長さ寸法を同じものとしてもよい。
（６）上記実施形態１では、横溝３１は、前後方向の位置が異なる後横溝３１Ｈと中央横溝３１Ｍとを有しているが、これに加えて、さらに前後方向の位置が異なる横溝を有するものとしてもよく、また、すべての横溝の前後方向の位置を同じものとしてもよい。
【００６１】
（７）上記実施形態１では、横溝３１が雄ハウジング１２の開口部２７に達する形態とされているが、これに限らず、縦溝が開口部に達するものとしてもよい。
（８）上記実施形態１では、第１溜液部２８Ｆ、第３溜液部２８Ｔおよび第４溜液部２８Ｇにおいて長縦溝２９Ｌが右側に、短縦溝２９Ｓが左側にまとめて配されているが、これに限らず、例えば、長縦溝と短縦溝とが交互に配されるものとしてもよい。
（９）上記実施形態１では、中間横溝３１は、長縦溝２９Ｌと短縦溝２９Ｓとを繋ぐものとされているが、これに限らず、例えば、長縦溝同士、短縦溝同士を繋ぐものとしてもよい。
（１０）実施形態２では、収容凹部６６は、レバー４３に設けられたロックアーム４９のうちロック突起４９Ｐの後側の部分に設けられているが、これに限らず、遮水突部６４が雌コネクタに突き当たらなければ特に収容凹部６６を設ける必要はなく、また別の部位に収容凹部６６を設けてもよい。
【符号の説明】
【００６２】
１０…雄コネクタ（コネクタ）
１１…雄端子金具（端子金具）
１２…雄ハウジング（ハウジング）
１２Ｅ…雄ハウジングの上面の前端縁（ハウジングの上面のうち相手側コネクタとの嵌合方向前端縁）
１２Ｓ…雄ハウジングの側面（ハウジングの側面）
１２Ｕ…雄ハウジングの上面（ハウジングの上面）
１４…コネクタ嵌合部
１６…レバー収容部
１７…隔壁
２７…開口部
２８…溜液部
２９…縦溝
３１…横溝
４０，６５…雌コネクタ（相手側コネクタ）
４３…レバー
５０…基板
５１，６１…ケーシング
６０…コネクタ装置
６２…本体板部
６２Ｅ…本体板部の縁部
６４…遮水突部
６６…収容凹部
【図１】
2015065140.tif 000003
【図２】
2015065140.tif 000004
【図３】
2015065140.tif 000005
【図４】
2015065140.tif 000006
【図５】
2015065140.tif 000007
【図６】
2015065140.tif 000008
【図７】
2015065140.tif 000009
【図８】
2015065140.tif 000010
【図９】
2015065140.tif 000011
【図１０】
2015065140.tif 000012
【図１１】
2015065140.tif 000013
【図１２】
2015065140.tif 000014
【図１３】
2015065140.tif 000015
【図１４】
2015065140.tif 000016
【図１５】
2015065140.tif 000017
【図１６】
2015065140.tif 000018
【図１７】
2015065140.tif 000019